(57)【要約】  本発明は、自動車座席に構成するための車両用幼児保護システムに関し、子供の背中を支持するためのバックレストと、前記幼児保護システムに前記子供を保持するための安全ベルトシステムを有する。また、当該幼児保護システムは、複数のベルトポイントを有し、当該ベルトポイントにて、前記ベルトシステムの少なくとも１つの安全ベルトが前記幼児保護システムの荷重受けアセンブリ上にて位置決めされる。本発明では、少なくとも２つのベルトポイント（３１、３２）が調節経路（Ｌ）沿いに調節可能な前記幼児保護システムのアセンブリ（３）上に構成され、その結果、前記２つのベルトポイント（３１、３２）の前記位置は、前記調節可能なアセンブリ（３）の前記位置を設定することにより再設定可能である。【選択図】    図１
2010504240.tif 000002
【特許請求の範囲】
【請求項１】
子供の背部を支持するためのバックレストと、
前記子供を保持するための安全ベルトシステムと、を有する自動車車両シート用の車両用幼児保護システムであって、
複数のベルトポイントを有し、当該ベルトポイントにおいて、前記ベルトシステムの少なくとも１つの安全ベルトが前記幼児保護システムの荷重受けアセンブリに配置されており、
少なくとも２つの前記ベルトポイント（３１、３２）は、調整経路（Ｌ）沿いに調整可能な前記幼児保護システムのアセンブリ（３）上に構成され、これにより、前記２つのベルトポイント（３１、３２）は、前記調整可能なアセンブリ（３）の位置を調節することにより再設定可能とされていることを特徴とする幼児保護システム。
【請求項２】
請求項１に記載の幼児保護システムであって、前記ベルトポイント（３１、３２）は、前記安全ベルト（４）のベルト部分を偏向するための偏向領域として構成されていることを特徴とする幼児保護システム。
【請求項３】
請求項２に記載の幼児保護システムであって、前記ベルトポイント（３１、３２）は、前記調節可能なアセンブリ（３）のスロットにより形成されていることを特徴とする幼児保護システム。
【請求項４】
請求項１から３のいずれか一項に記載の幼児保護システムであって、前記ベルトポイント（３１、３２）に位置決めされる少なくとも１本の安全ベルト（４）の前記ベルト部（４１、４２）は、肩ベルト部であることを特徴とする幼児保護システム。
【請求項５】
請求項１から４のいずれか一項に記載の幼児保護システムであって、前記調節可能なアセンブリ（３）は、前記バックレスト（２）が延在する当該バックレストの前記長軸方向（Ｌ）沿いに変位可能であることを特徴とする幼児保護システム。
【請求項６】
請求項５に記載の幼児保護システムであって、前記調節可能なアセンブリ（３）は、前記バックレストの前記長軸方向（Ｌ）沿いに変位可能であることを特徴とする幼児保護システム。
【請求項７】
請求項１から６のいずれか一項に記載の幼児保護システムであって、前記調節可能なアセンブリ（３）は、前記幼児保護システムの前記バックレスト（２）の変位可能なバックレスト構成部であることを特徴とする幼児保護システム。
【請求項８】
請求項１から７のいずれか一項に記載の幼児保護システムであって、前記調節可能なアセンブリ（３）は、レール（２５ａ）にて当該アセンブリの調節経路（Ｌ）沿いに変位可能状に誘導されることを特徴とする幼児保護システム。
【請求項９】
請求項１から８のいずれか一項に記載の幼児保護システムであって、前記調節可能なアセンブリ（３）は、ロック機構（２６、２７；３６、３７）により、当該アセンブリが調節され各位置にロック可能であることを特徴とする幼児保護システム。
【請求項１０】
請求項９に記載の幼児保護システムであって、前記ロック機構（２６、２７；３６、３７）は、ラッチ機構を有することを特徴とする幼児保護システム。
【請求項１１】
請求項９または１０に記載の幼児保護システムであって、前記ロック機構（２６、２７；３６、３７）は、前記ロック状態の方向に弾性的に付勢されていることを特徴とする幼児保護システム。
【請求項１２】
請求項９から１１のいずれか一項に記載の幼児保護システムであって、操作手段（３８、３９）が、前記ロック機構（２６、２７；３６、３７）をロック解除するべく設けられていることを特徴とする幼児保護システム。
【請求項１３】
請求項１から１２のいずれか一項に記載の幼児保護システムであって、ディスプレイ（５、６）が設けられ、当該ディスプレイによって前記ベルトポイント（３１、３２）の前記調節位置を読み取ることが可能であることを特徴とする幼児保護システム。
【請求項１４】
請求項１３に記載の幼児保護システムであって、前記ディスプレイが目盛（５）とディスプレイ・ウィンドウ（６）を有し、前記調節可能なアセンブリ（３）が変位する際、前記目盛および前記ディスプレイ・ウィンドウが互いに変位可能に設定され、両要素（５、６）の一方は、調節可能な前記ベルトポイント（３１、３２）と共に変位可能であることを特徴とする幼児保護システム。
【請求項１５】
請求項１から１４のいずれか一項に記載の幼児保護システムであって、少なくとも２つの前記ベルトポイント（３１、３２）の前記位置は、片手で調節可能であることを特徴とする幼児保護システム。
【発明の詳細な説明】
【技術分野】
【０００１】
本発明は、請求項１の前段部分に係る幼児保護システムに関する。
【背景技術】
【０００２】
例えばチャイルドシートに代表される前記幼児保護システムは、当該シートのバックレストの長軸方向沿いに延在するバックレストと、子供（幼児保護システムを必要とする幼児ないし乳幼児）が当該幼児保護システムの適切な位置に保持されるためのベルトシステムを有する。当該バックレスト上には幼児保護システムを使用する子供が背中で寄りかかり、子供の背骨はバックレストの長軸方向沿いに延在する。
【０００３】
特に、ベルトシステムは、３点式または５点式ベルトシステムであってもよいが、これは、幼児保護システムおよび／または車両環境の荷重受け構造上、ベルトシステムの少なくとも１つの安全ベルトが、３点で固定されるか５点で固定されるかに依存する。
【０００４】
子供の体の人体測定学的条件にベルトシステムを適応させ、この方法によって子供に対し可能な限りの快適性と安全性を保証するべく、例えば幼児保護システムにて単一ベルトの複数ポイントの位置調節が可能とされている。
【０００５】
例えば子供の年齢、体重、身長に依存するような所定の条件下での最適な調節に関して、しばしば不確実性が存する。このため、幼児保護システムの支持構造に対して少なくとも１本の安全ベルトを位置決めするための単一ベルトの複数ポイントの調節が困難をきたす場合もある。
【発明の開示】
【発明が解決しようとする課題】
【０００６】
従って本発明は、簡素さに加え、ベルトシステムの調節可能性を保証しつつ、安全性に優れた、冒頭記載の種類の幼児保護システムの構築を課題とする。
【課題を解決するための手段】
【０００７】
本発明によれば、この課題は、請求項１の特徴を有する幼児保護システムを構築することにより解決される。
【０００８】
本発明に係る幼児保護システムは、所定の位置に調節可能なアセンブリを有し、当該アセンブリは、少なくとも１つの安全ベルトが、例えば偏向状に配置される少なくとも２つのベルトポイントを規定する。その結果、幼児保護システムの前記アセンブリの位置調節によって、２つのベルトポイントが、同時に位置調節可能である。
【０００９】
本発明に係る解決手段、例えばバックレストの長軸方向沿いに２つのベルトポイントを調節するといった所謂ベルト高さの調節に特に適しており、特に両ベルトポイントは、それぞれ、ベルトシステムの少なくとも１つの安全ベルトのための偏向点を形成しつつ、バックレストの長軸方向の交差方向に並んで構成されている。偏向点は、スロットとして構成されてもよく、当該スロットを通って安全ベルトのベルト部がそれぞれ誘導される。
【００１０】
調節可能なアセンブリのグリップ部が適切に設けられている場合、幼児保護システムの単一アセンブリを調節することによって少なくとも２つのベルトポイントの位置が再設定可能であるという事実のため、本発明に係る解決策により、複数のベルトポイントの特にベルト高さを、片手で調節することが可能である。
【００１１】
調節可能なアセンブリは、幼児保護システムのバックレストにて、長軸方向沿いに特に変位可能状に構成されたバックレスト構成部である。
【００１２】
一般に、座席バックレストの長軸方向沿いに延在するバックレストと、幼児保護システムにて子供を保持するための安全ベルトシステムを有する、車両座席上の構成のための車両用幼児保護システムにおいて、少なくとも１つのベルトポイントの位置が調節可能であり、当該ベルトポイントによって当該ベルトシステムの安全ベルトのベルト部が幼児保護システムにて位置決め可能であるが、本発明の特徴としては、バックレスト構成部に形成された少なくとも１つのベルトポイントが存在し、当該バックレスト構成部は、座席バックレストにて変位可能状に支持され、座席バックレストの長軸方向にて、バックレスト沿いに調節可能である。
【００１３】
ディスプレイが、幼児保護システムの調節可能なアセンブリに対応し、当該ディスプレイにより、幼児保護システムの調節可能なアセンブリの各調節位置が読み取れることが好ましい。本発明では、この点は、調節可能なアセンブリに構成された目盛に関し、当該目盛はディスプレイ・ウィンドウを通して見ることが可能である。
【００１４】
子供の背部を支持するためのバックレストと、幼児保護システムにて子供を保持するための安全ベルトシステムを有し、当該ベルトシステムの少なくとも１つのベルトポイントの位置が調節可能であり、当該ベルトシステムによりベルトシステムの安全ベルトのベルト部が幼児保護システムにて位置決め可能な、車両座席上に構成するための車両用幼児保護システムにおいて、本発明の特徴によれば、ディスプレイが設けられ、当該ディスプレイによりベルトポイントの調節位置を読み取ることが可能である。この手段の実現は、ベルトシステムの複数のベルトポイントが同時に調節可能であるかどうかという事実には本質的には係らない。しかし、単一のベルトポイントのみの調節が係る場合にも、この手段は有利に実現可能である。
【００１５】
調節可能なアセンブリを予め調節された位置にロック可能であるべく、ロック機構が、幼児保護システムの調節可能なアセンブリに付随している。このため、ロック機構は、例えば形状適合性要素を有し、当該要素は一方で調節可能なアセンブリに設けられ、他方では、同アセンブリと共に変位しない幼児保護システムの構成部材に設けられている。また、当該要素は、予め調節された位置に調節可能なアセンブリをロックするべく、特にラッチ要素型の形状適合性要素に、形状適合状に係合可能である。
【００１６】
実施例によれば、調節方向沿いに連続的に構成された、例えばラッチ開口部の形状のラッチ領域を有するラッチレールが設けられ、単一ラッチ開口部は調節可能なアセンブリの異なる調節位置を定義し、ラッチ突起部がラッチ開口部に対応する。当該突起部は、調節可能なアセンブリの調節位置に依存しつつ、ラッチ開口部に係合する。同時に、ラッチ突起部は、ロック状態の方向に弾性的に圧力を受けている。
【００１７】
あるいは、複数のラッチ突起部が、ラッチレールに設けられてもよく、個々のラッチ突起部は各々、調節可能なアセンブリの調節位置を定義する。また、１つのラッチ開口部は、複数のラッチ突起部に対応し、調節可能なアセンブリの調節位置に依存しているラッチ突起部の１つと係合可能である。
【００１８】
本発明の更なる詳細および利点は、図を用いて以下の実施例の記述により明確化される。
【発明を実施するための最良の形態】
【００１９】
図１および図２では、自動車車両用、即ち、車両シート上に構成するためのチャイルドシートが、斜視図にて描写されている。当該チャイルドシートは、シートシェル１から隆起しバックレストの長軸方向Ｌ沿いに延在しているバックレスト２、およびベルトシステムから構成されている。バックレスト２は、チャイルドシートのシートシェル１に着座する子供の背中を支持するのに役立ち、着座状態では子供の背骨はバックレストの長軸方向Ｌ沿いに概ね延在する。シート表面１０を形成するシートシェル１および背中支持部２０を形成するバックレスト２はそれぞれ、子供の着座位置を意図的に（中央に）安定させるべく、側方に座席側部１１、１２；２１、２２を有する。
【００２０】
チャイルドシート１のバックレスト２内に、バックレストの長軸方向Ｌ沿いに平行移動的に調節可能なバックレスト構成部３の形状にて、変位可能アセンブリが組み込まれ、当該アセンブリは、アセンブリ・ベース部３０と共に、バックレスト２の背中支持部２０の一構成成分を成す。このバックレスト構成部３は、ベース部３０において偏向領域の形状の２つのベルトポイント３１、３２を有し、このポイントにて、幼児保護システムの安全ベルト４のベルト部４１、４２、即ち肩ベルト部は各々、誘導、偏向される。バックレスト構成部３の偏向領域の形状のベルトポイント３１、３２は、本実施例の場合、安全ベルト４の肩ベルト部４１、４２が貫通するスロットとして構成される。この構造により、安全ベルト４は、所定の方法で、幼児保護システムの支持構造部、即ちバックレスト２のバックレスト構成部３にて、バックレストの長軸方向Ｌの交差方向に互いに関して離間した２つのベルトポイント３１、３２（偏向領域）にて位置決めされる。
【００２１】
有利なことに、バックレスト構成部３は、バックレスト構成部３の調節経路沿い、即ちバックレストの長軸方向Ｌ沿いに延在するレール２５ａ沿いに長軸方向に変位可能状に誘導され、この（平行移動的）変位可能性のため、安全ベルト４のベルト高さ、即ち、幼児保護システムの肩ベルト部４１、４２を誘導、位置決めする偏向領域３１、３２の位置は、バックレストの長軸方向Ｌ沿いに、即ち、（バックレスト構成部３の変位により）各偏向領域３１、３２に対して同時に調節可能である。
【００２２】
ガイドレールとして働く長軸方向延在状のレール２５ａは、バックレスト２内の、より詳細には、背中支持部２０内に構成され、バックレストの長軸方向Ｌ沿いに背中支持部２０内に設けられたリセス２５を橋絡する。バックレスト２または背中支持部２０の表面の前面にベース部３０と共に構成されている調節可能状バックレスト構成部３は（バックレスト２およびバックレスト構成部３の前面表面はそれぞれチャイルドシートを使用する子供に面する）、横方向部材の形状の背面ガイド部３５と共に、長軸方向延在状のガイドレール２５ａを包囲する。その結果、高さ調節可能なバックレスト構成部３は、バックレストの長軸方向Ｌ沿いに延在するガイドレール２５ａにて、同方向Ｌに変位可能な方法で誘導される。
【００２３】
チャイルドシートの背面、より正確には、バックレスト２の背面には、操作制御部が（調節可能なバックレスト構成部３のガイド部３５に）設けられ、当該操作制御部は、１つ以上の操作要素３８、３９の形状の操作手段を有する。当該操作手段により、バックレストの長軸方向Ｌ沿いの各調節位置にてバックレスト構成部３をロックするラッチ機構は、ロック解除されることが可能である。
【００２４】
ラッチ構造は、２つのラッチレール２６、２７の１方ずつにそれぞれ、バックレスト構成部３の調節経路沿い、即ちバックレストの長軸方向沿いに連続的に構成されているラッチ開口部形状の複数のラッチ領域２６ａ、２７ａを有し、当該ラッチレール２６、２７は、平行にバックレストの長軸方向Ｌ沿いに延在し、同方向Ｌの交差方向に互いに離間している。よって、バックレスト構成部３の可能な各調節位置において、バックレスト構成部３の背面に設けられたラッチ突起型のラッチ要素３６、３７は、両ラッチレール２６、２７の各ラッチ開口部２６ａ、２７ａに係合する。同時に、各ラッチ突起部３６、３７は、対応するラッチ開口部２６ａ、２７ａの方向に弾性的に予め圧力を受け、その結果バックレスト構成部３が、各々に調節されたラッチ位置内に確実にロックされる。
【００２５】
ラッチ開口部２６ａ、２７ａの１つに係合する各ラッチ突起部３６、３７を、（例えばバネ要素により与えられる）弾性的圧力に対向して各々対応するラッチ開口部２６ａ、２７ａから外し、この目的のために設けられた操作手段３８、３９を作動させることにより、前記（形状適合型）ロックは復帰可能である。以降、バックレスト構成部３は、バックレストの長軸方向Ｌ沿いに変位可能であり、従ってバックレスト構成部の位置は、ベルト高さを調節するべく、再設定可能である。さらに、バックレスト構成部３は、前述のラッチ機構により、最新の調節位置に再度ロック可能である。片側に複数のラッチ開口部、他の側に複数のラッチ突起部を対応させたラッチ機構の適切な構成においても、ベルト高さの調節は実行可能である。
【００２６】
ラッチレール２６、２７および局所的ラッチ開口部２６ａ、２７ａの方向に突っ張っているラッチ要素３６、３７の弾性的圧力のため、バックレストの長軸方向Ｌ沿いにバックレスト構成部３の位置を再設定する際に、（１つ以上の操作要素から構成される）操作手段３８、３９が恒久的に作動することが必要である。この作動が復帰されると直ちに、ラッチ要素３６、３７は、付随したラッチ開口部２６ａ、２７ａの最寄りのラッチ位置に係合する。
【００２７】
結果として、両ベルトポイント３１、３２の位置は、バックレストの長軸方向Ｌ沿いに調節可能なバックレスト構成部３の位置を再設定することにより、一回のみの調節動作にて連動的に調節可能である。この調節は、バックレストの長軸方向Ｌ沿いにバックレスト構成部３を変位させることにより、片手で実行可能である。例えば、長軸方向に延在するガイドレール２５ａの背後にて係合し、握り部として働くガイド部３５を掴み、当該ガイド部３５をガイドレール２５ａ沿いに変位させることにより、バックレスト構成部３全体が持ち上げられる。
【００２８】
ラッチ機構をロック解除するための唯一の操作手段が、操作手段３８、３９として設けられている場合に、この動作は、さらに簡素化される。
【００２９】
バックレスト構成部３と協働して変位できないバックレスト２の構成要素に対するバックレスト構成部３の現在の調節位置は、ディスプレイ・ウィンドウ６の背後に表示される目盛５から読み取ることが可能である。例えば、目盛５が、バックレスト構成部３と共に（バックレストの長軸方向Ｌ沿いに）変位不可能であるように、チャイルドシートに構成可能である一方、ディスプレイ６はバックレスト構成部３に設けられ、ベルト高さを再設定する際に、バックレスト構成部３と共にバックレストの長軸方向Ｌ沿いに変位される。
【図面の簡単な説明】
【００３０】
【図１】一体状ベルトシステムを有するチャイルドシート型の幼児保護システムの正面斜視図を示す。
【図２】図１の幼児保護システムの背面斜視図を示す。
【符号の説明】
【００３１】
１  シートシェル
２  バックレスト
３  バックレスト構成部
４  安全ベルト
５  目盛
６  ディスプレイ・ウィンドウ
１０  シート表面
１１  座席側部
１２  座席側部
２０  背中支持部
２１  座席側部
２２  座席側部
２５  リセス
２５ａ  ガイドレール
２６  ラッチレール
２６ａ  ラッチ開口部
２７  ラッチレール
２７ａ  ラッチ開口部
３０  ベース部
３１  ベルトポイント
３２  ベルトポイント
３５  ガイド部
３６  ラッチ要素
３７  ラッチ要素
３８  操作要素
３９  操作要素
４１  肩ベルト部
４２  肩ベルト部
Ｌ  バックレストの長軸方向
【図１】
2010504240.tif 000003
【図２】
2010504240.tif 000004
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
子供の背部を支持するためのバックレストと、
前記子供を保持するための安全ベルトシステムと、を有する自動車車両シート用の車両用幼児保護システムであって、
複数のベルトポイントを有し、当該ベルトポイントにおいて、前記ベルトシステムの少なくとも１つの安全ベルトが前記幼児保護システムの荷重受けアセンブリに配置されており、
少なくとも２つの前記ベルトポイント（３１、３２）は、調整経路（Ｌ）沿いに調整可能な前記幼児保護システムのアセンブリ（３）上に構成され、これにより、前記２つのベルトポイント（３１、３２）は、前記調整可能なアセンブリ（３）の位置を調節することにより再設定可能とされていることを特徴とする幼児保護システム。
【請求項２】
請求項１に記載の幼児保護システムであって、前記ベルトポイント（３１、３２）は、前記安全ベルト（４）のベルト部分を偏向するための偏向領域として構成されていることを特徴とする幼児保護システム。
【請求項３】
請求項２に記載の幼児保護システムであって、前記ベルトポイント（３１、３２）は、前記調節可能なアセンブリ（３）のスロットにより形成されていることを特徴とする幼児保護システム。
【請求項４】
請求項１から３のいずれか一項に記載の幼児保護システムであって、前記ベルトポイント（３１、３２）に位置決めされる少なくとも１本の安全ベルト（４）の前記ベルト部（４１、４２）は、肩ベルト部であることを特徴とする幼児保護システム。
【請求項５】
請求項１から４のいずれか一項に記載の幼児保護システムであって、前記調節可能なアセンブリ（３）は、前記幼児保護システムのバックレスト（２）の変位可能なバックレスト構成部であることを特徴とする幼児保護システム。
【請求項６】
請求項１から５のいずれか一項に記載の幼児保護システムであって、前記調節可能なアセンブリ（３）は、レール（２５ａ）にて当該アセンブリの調節経路（Ｌ）沿いに変位可能状に誘導されることを特徴とする幼児保護システム。
【請求項７】
請求項６に記載の幼児保護システムであって、前記調節可能なアセンブリ（３）は、ロック機構（２６、２７；３６、３７）により、当該アセンブリが調節され各位置にロック可能であり、前記ロック機構（２６、２７；３６、３７）は、ラッチ機構を有することを特徴とする幼児保護システム。
【請求項８】
請求項７に記載の幼児保護システムであって、前記ロック機構（２６、２７；３６、３７）は、前記ロック状態の方向に弾性的に付勢されていることを特徴とする幼児保護システム。
【請求項９】
請求項７または８に記載の幼児保護システムであって、操作手段（３８、３９）が、前記ロック機構（２６、２７；３６、３７）をロック解除するべく設けられていることを特徴とする幼児保護システム。
【請求項１０】
請求項１から９のいずれか一項に記載の幼児保護システムであって、少なくとも２つの前記ベルトポイント（３１、３２）の前記位置は、片手で調節可能であることを特徴とする幼児保護システム。
【手続補正２】
【補正対象書類名】明細書
【補正対象項目名】全文
【補正方法】変更
【補正の内容】
【発明の詳細な説明】
【技術分野】
【０００１】
本発明は、請求項１の前段部分に係る幼児保護システムに関する。
【背景技術】
【０００２】
例えばチャイルドシートに代表される前記幼児保護システムは、当該シートのバックレストの長軸方向沿いに延在するバックレストと、子供（幼児保護システムを必要とする幼児ないし乳幼児）が当該幼児保護システムの適切な位置に保持されるためのベルトシステムを有する。当該バックレスト上には幼児保護システムを使用する子供が背中で寄りかかり、子供の背骨はバックレストの長軸方向沿いに延在する。
【０００３】
特に、ベルトシステムは、３点式または５点式ベルトシステムであってもよいが、これは、幼児保護システムおよび／または車両環境の荷重受け構造上、ベルトシステムの少なくとも１つの安全ベルトが、３点で固定されるか５点で固定されるかに依存する。
【０００４】
子供の体の人体測定学的条件にベルトシステムを適応させ、この方法によって子供に対し可能な限りの快適性と安全性を保証するべく、例えば幼児保護システムにて単一ベルトの複数ポイントの位置調節が可能とされている。
【０００５】
例えば子供の年齢、体重、身長に依存するような所定の条件下での最適な調節に関して、しばしば不確実性が存する。このため、幼児保護システムの支持構造に対して少なくとも１本の安全ベルトを位置決めするための単一ベルトの複数ポイントの調節が困難をきたす場合もある。
【発明の開示】
【発明が解決しようとする課題】
【０００６】
従って本発明は、簡素さに加え、ベルトシステムの調節可能性を保証しつつ、安全性に優れた、冒頭記載の種類の幼児保護システムの構築を課題とする。
【課題を解決するための手段】
【０００７】
本発明によれば、この課題は、請求項１の特徴を有する幼児保護システムを構築することにより解決される。
【０００８】
本発明に係る幼児保護システムは、所定の位置に調節可能なアセンブリを有し、当該アセンブリは、少なくとも１つの安全ベルトが、例えば偏向状に配置される少なくとも２つのベルトポイントを規定する。その結果、幼児保護システムの前記アセンブリの位置調節によって、２つのベルトポイントが、同時に位置調節可能である。
【０００９】
本発明に係る解決手段、例えばバックレストの長軸方向沿いに２つのベルトポイントを調節するといった所謂ベルト高さの調節に特に適しており、特に両ベルトポイントは、それぞれ、ベルトシステムの少なくとも１つの安全ベルトのための偏向点を形成しつつ、バックレストの長軸方向の交差方向に並んで構成されている。偏向点は、スロットとして構成されてもよく、当該スロットを通って安全ベルトのベルト部がそれぞれ誘導される。
【００１０】
調節可能なアセンブリのグリップ部が適切に設けられている場合、幼児保護システムの単一アセンブリを調節することによって少なくとも２つのベルトポイントの位置が再設定可能であるという事実のため、本発明に係る解決策により、複数のベルトポイントの特にベルト高さを、片手で調節することが可能である。
【００１１】
調節可能なアセンブリは、幼児保護システムのバックレストにて、長軸方向沿いに特に変位可能状に構成されたバックレスト構成部である。
【００１２】
一般に、座席バックレストの長軸方向沿いに延在するバックレストと、幼児保護システムにて子供を保持するための安全ベルトシステムを有する、車両座席上の構成のための車両用幼児保護システムにおいて、少なくとも１つのベルトポイントの位置が調節可能であり、当該ベルトポイントによって当該ベルトシステムの安全ベルトのベルト部が幼児保護システムにて位置決め可能であるが、本発明の特徴としては、バックレスト構成部に形成された少なくとも１つのベルトポイントが存在し、当該バックレスト構成部は、座席バックレストにて変位可能状に支持され、座席バックレストの長軸方向にて、バックレスト沿いに調節可能である。
【００１３】
ディスプレイが、幼児保護システムの調節可能なアセンブリに対応し、当該ディスプレイにより、幼児保護システムの調節可能なアセンブリの各調節位置が読み取れることが好ましい。本発明では、この点は、調節可能なアセンブリに構成された目盛に関し、当該目盛はディスプレイ・ウィンドウを通して見ることが可能である。
【００１４】
子供の背部を支持するためのバックレストと、幼児保護システムにて子供を保持するための安全ベルトシステムを有し、当該ベルトシステムの少なくとも１つのベルトポイントの位置が調節可能であり、当該ベルトシステムによりベルトシステムの安全ベルトのベルト部が幼児保護システムにて位置決め可能な、車両座席上に構成するための車両用幼児保護システムにおいて、本発明の特徴によれば、ディスプレイが設けられ、当該ディスプレイによりベルトポイントの調節位置を読み取ることが可能である。この手段の実現は、ベルトシステムの複数のベルトポイントが同時に調節可能であるかどうかという事実には本質的には係らない。しかし、単一のベルトポイントのみの調節が係る場合にも、この手段は有利に実現可能である。
【００１５】
調節可能なアセンブリを予め調節された位置にロック可能であるべく、ロック機構が、幼児保護システムの調節可能なアセンブリに付随している。このため、ロック機構は、例えば形状適合性要素を有し、当該要素は一方で調節可能なアセンブリに設けられ、他方では、同アセンブリと共に変位しない幼児保護システムの構成部材に設けられている。また、当該要素は、予め調節された位置に調節可能なアセンブリをロックするべく、特にラッチ要素型の形状適合性要素に、形状適合状に係合可能である。
【００１６】
実施例によれば、調節方向沿いに連続的に構成された、例えばラッチ開口部の形状のラッチ領域を有するラッチレールが設けられ、単一ラッチ開口部は調節可能なアセンブリの異なる調節位置を定義し、ラッチ突起部がラッチ開口部に対応する。当該突起部は、調節可能なアセンブリの調節位置に依存しつつ、ラッチ開口部に係合する。同時に、ラッチ突起部は、ロック状態の方向に弾性的に圧力を受けている。
【００１７】
あるいは、複数のラッチ突起部が、ラッチレールに設けられてもよく、個々のラッチ突起部は各々、調節可能なアセンブリの調節位置を定義する。また、１つのラッチ開口部は、複数のラッチ突起部に対応し、調節可能なアセンブリの調節位置に依存しているラッチ突起部の１つと係合可能である。
【００１８】
本発明の更なる詳細および利点は、図を用いて以下の実施例の記述により明確化される。
【発明を実施するための最良の形態】
【００１９】
図１および図２では、自動車車両用、即ち、車両シート上に構成するためのチャイルドシートが、斜視図にて描写されている。当該チャイルドシートは、シートシェル１から隆起しバックレストの長軸方向Ｌ沿いに延在しているバックレスト２、およびベルトシステムから構成されている。バックレスト２は、チャイルドシートのシートシェル１に着座する子供の背中を支持するのに役立ち、着座状態では子供の背骨はバックレストの長軸方向Ｌ沿いに概ね延在する。シート表面１０を形成するシートシェル１および背中支持部２０を形成するバックレスト２はそれぞれ、子供の着座位置を意図的に（中央に）安定させるべく、側方に座席側部１１、１２；２１、２２を有する。
【００２０】
チャイルドシート１のバックレスト２内に、バックレストの長軸方向Ｌ沿いに平行移動的に調節可能なバックレスト構成部３の形状にて、変位可能アセンブリが組み込まれ、当該アセンブリは、アセンブリ・ベース部３０と共に、バックレスト２の背中支持部２０の一構成成分を成す。このバックレスト構成部３は、ベース部３０において偏向領域の形状の２つのベルトポイント３１、３２を有し、このポイントにて、幼児保護システムの安全ベルト４のベルト部４１、４２、即ち肩ベルト部は各々、誘導、偏向される。バックレスト構成部３の偏向領域の形状のベルトポイント３１、３２は、本実施例の場合、安全ベルト４の肩ベルト部４１、４２が貫通するスロットとして構成される。この構造により、安全ベルト４は、所定の方法で、幼児保護システムの支持構造部、即ちバックレスト２のバックレスト構成部３にて、バックレストの長軸方向Ｌの交差方向に互いに関して離間した２つのベルトポイント３１、３２（偏向領域）にて位置決めされる。
【００２１】
有利なことに、バックレスト構成部３は、バックレスト構成部３の調節経路沿い、即ちバックレストの長軸方向Ｌ沿いに延在するレール２５ａ沿いに長軸方向に変位可能状に誘導され、この（平行移動的）変位可能性のため、安全ベルト４のベルト高さ、即ち、幼児保護システムの肩ベルト部４１、４２を誘導、位置決めする偏向領域３１、３２の位置は、バックレストの長軸方向Ｌ沿いに、即ち、（バックレスト構成部３の変位により）各偏向領域３１、３２に対して同時に調節可能である。
【００２２】
ガイドレールとして働く長軸方向延在状のレール２５ａは、バックレスト２内の、より詳細には、背中支持部２０内に構成され、バックレストの長軸方向Ｌ沿いに背中支持部２０内に設けられたリセス２５を橋絡する。バックレスト２または背中支持部２０の表面の前面にベース部３０と共に構成されている調節可能状バックレスト構成部３は（バックレスト２およびバックレスト構成部３の前面表面はそれぞれチャイルドシートを使用する子供に面する）、横方向部材の形状の背面ガイド部３５と共に、長軸方向延在状のガイドレール２５ａを包囲する。その結果、高さ調節可能なバックレスト構成部３は、バックレストの長軸方向Ｌ沿いに延在するガイドレール２５ａにて、同方向Ｌに変位可能な方法で誘導される。
【００２３】
チャイルドシートの背面、より正確には、バックレスト２の背面には、操作制御部が（調節可能なバックレスト構成部３のガイド部３５に）設けられ、当該操作制御部は、１つ以上の操作要素３８、３９の形状の操作手段を有する。当該操作手段により、バックレストの長軸方向Ｌ沿いの各調節位置にてバックレスト構成部３をロックするラッチ機構は、ロック解除されることが可能である。
【００２４】
ラッチ構造は、２つのラッチレール２６、２７の１方ずつにそれぞれ、バックレスト構成部３の調節経路沿い、即ちバックレストの長軸方向沿いに連続的に構成されているラッチ開口部形状の複数のラッチ領域２６ａ、２７ａを有し、当該ラッチレール２６、２７は、平行にバックレストの長軸方向Ｌ沿いに延在し、同方向Ｌの交差方向に互いに離間している。よって、バックレスト構成部３の可能な各調節位置において、バックレスト構成部３の背面に設けられたラッチ突起型のラッチ要素３６、３７は、両ラッチレール２６、２７の各ラッチ開口部２６ａ、２７ａに係合する。同時に、各ラッチ突起部３６、３７は、対応するラッチ開口部２６ａ、２７ａの方向に弾性的に予め圧力を受け、その結果バックレスト構成部３が、各々に調節されたラッチ位置内に確実にロックされる。
【００２５】
ラッチ開口部２６ａ、２７ａの１つに係合する各ラッチ突起部３６、３７を、（例えばバネ要素により与えられる）弾性的圧力に対向して各々対応するラッチ開口部２６ａ、２７ａから外し、この目的のために設けられた操作手段３８、３９を作動させることにより、前記（形状適合型）ロックは復帰可能である。以降、バックレスト構成部３は、バックレストの長軸方向Ｌ沿いに変位可能であり、従ってバックレスト構成部の位置は、ベルト高さを調節するべく、再設定可能である。さらに、バックレスト構成部３は、前述のラッチ機構により、最新の調節位置に再度ロック可能である。片側に複数のラッチ開口部、他の側に複数のラッチ突起部を対応させたラッチ機構の適切な構成においても、ベルト高さの調節は実行可能である。
【００２６】
ラッチレール２６、２７および局所的ラッチ開口部２６ａ、２７ａの方向に突っ張っているラッチ要素３６、３７の弾性的圧力のため、バックレストの長軸方向Ｌ沿いにバックレスト構成部３の位置を再設定する際に、（１つ以上の操作要素から構成される）操作手段３８、３９が恒久的に作動することが必要である。この作動が復帰されると直ちに、ラッチ要素３６、３７は、付随したラッチ開口部２６ａ、２７ａの最寄りのラッチ位置に係合する。
【００２７】
結果として、両ベルトポイント３１、３２の位置は、バックレストの長軸方向Ｌ沿いに調節可能なバックレスト構成部３の位置を再設定することにより、一回のみの調節動作にて連動的に調節可能である。この調節は、バックレストの長軸方向Ｌ沿いにバックレスト構成部３を変位させることにより、片手で実行可能である。例えば、長軸方向に延在するガイドレール２５ａの背後にて係合し、握り部として働くガイド部３５を掴み、当該ガイド部３５をガイドレール２５ａ沿いに変位させることにより、バックレスト構成部３全体が持ち上げられる。
【００２８】
ラッチ機構をロック解除するための唯一の操作手段が、操作手段３８、３９として設けられている場合に、この動作は、さらに簡素化される。
【００２９】
バックレスト構成部３と協働して変位できないバックレスト２の構成要素に対するバックレスト構成部３の現在の調節位置は、ディスプレイ・ウィンドウ６の背後に表示される目盛５から読み取ることが可能である。例えば、目盛５が、バックレスト構成部３と共に（バックレストの長軸方向Ｌ沿いに）変位不可能であるように、チャイルドシートに構成可能である一方、ディスプレイ６はバックレスト構成部３に設けられ、ベルト高さを再設定する際に、バックレスト構成部３と共にバックレストの長軸方向Ｌ沿いに変位される。
【００３０】
本発明では、「請求項１から４のいずれか一項に記載の幼児保護システムであって、前記調節可能なアセンブリ（３）は、前記バックレスト（２）が延在する当該バックレストの前記長軸方向（Ｌ）沿いに変位可能であることを特徴とする幼児保護システム」という態様（態様１）を採り得る。
また本発明では、「前記態様１に記載の幼児保護システムであって、前記調節可能なアセンブリ（３）は、前記バックレストの前記長軸方向（Ｌ）沿いに変位可能であることを特徴とする幼児保護システム」という態様（態様２）を採り得る。
また本発明では、「請求項１から６、前記態様１，２のいずれか一項に記載の幼児保護システムであって、前記調節可能なアセンブリ（３）は、ロック機構（２６、２７；３６、３７）により、当該アセンブリが調節され各位置にロック可能であることを特徴とする幼児保護システム」という態様（態様３）を採り得る。
また本発明では、「請求項１から９、前記態様１から３のいずれか一項に記載の幼児保護システムであって、ディスプレイ（５、６）が設けられ、当該ディスプレイによって前記ベルトポイント（３１、３２）の前記調節位置を読み取ることが可能であることを特徴とする幼児保護システム」という態様（態様４）を採り得る。
また本発明では、「前記態様４に記載の幼児保護システムであって、前記ディスプレイが目盛（５）とディスプレイ・ウィンドウ（６）を有し、前記調節可能なアセンブリ（３）が変位する際、前記目盛および前記ディスプレイ・ウィンドウが互いに変位可能に設定され、両要素（５、６）の一方は、調節可能な前記ベルトポイント（３１、３２）と共に変位可能であることを特徴とする幼児保護システム」という態様（態様５）を採り得る。
【図面の簡単な説明】
【００３１】
【図１】一体状ベルトシステムを有するチャイルドシート型の幼児保護システムの正面斜視図を示す。
【図２】図１の幼児保護システムの背面斜視図を示す。
【符号の説明】
【００３２】
１  シートシェル
２  バックレスト
３  バックレスト構成部
４  安全ベルト
５  目盛
６  ディスプレイ・ウィンドウ
１０  シート表面
１１  座席側部
１２  座席側部
２０  背中支持部
２１  座席側部
２２  座席側部
２５  リセス
２５ａ  ガイドレール
２６  ラッチレール
２６ａ  ラッチ開口部
２７  ラッチレール
２７ａ  ラッチ開口部
３０  ベース部
３１  ベルトポイント
３２  ベルトポイント
３５  ガイド部
３６  ラッチ要素
３７  ラッチ要素
３８  操作要素
３９  操作要素
４１  肩ベルト部
４２  肩ベルト部
Ｌ  バックレストの長軸方向
【国際調査報告】
2010504240.tif 000005
2010504240.tif 000006
2010504240.tif 000007
2010504240.tif 000008